(57)【要約】【課題】サッシの保持部材を必要とせずに、サッシを先付けすることができ、また、嵌め殺し窓においても、ガラス取り付け後のコーキング処理の手間を省き、ガラスのみを交換することが出来る先付けサッシ構造及び工法を提供することを課題とするものである。【解決手段】壁コンクリートを打設する前に型枠内にサッシを取付けし、壁コンクリートを打設し、型枠を脱型するときにはサッシが壁体に取付けられているサッシ先付け構造において、嵌め殺し窓の上下、左右のサッシ枠に、躯体側に突出する羽根部が形成されており、該羽根部を型枠に直接、釘着固定することにより、サッシ枠を型枠に固定することを特徴とし、また、ガラスを取り付けるためのガラスビードが外側のみ予め、コンクリート打設前に取り付けられていることを特徴とする先付けサッシ構造及び工法である。【選択図】  図２
2011179244.tif 000002
【特許請求の範囲】
【請求項１】
壁コンクリートを打設する前に型枠内にサッシを取付けし、壁コンクリートを打設し、型枠を脱型するときにはサッシが壁体に取付けられているサッシ先付け構造において、
嵌め殺し窓の上下、左右のサッシ枠に、躯体側に突出する羽根部が形成されており、該羽根部を型枠に直接、釘着固定することにより、サッシ枠を型枠に固定することを特徴とする先付けサッシ構造。
【請求項２】
前記のサッシ枠から突出する羽根部の躯体側と、サッシ枠の躯体側面とに各々突起部が設けられていることを特徴とする請求項１に記載の先付けサッシ構造。
【請求項３】
前記の型枠に直接、亜鉛釘を釘着固定される羽根部の釘穴において、該釘穴がテーパ状に穴加工されていることを特徴とする請求項１又は請求項２に記載の先付けサッシ構造。
【請求項４】
前記のサッシ枠において、ガラスを取り付けるためのガラスビードが外側のみ予め、コンクリート打設前に取り付けられていることを特徴とする請求項１から請求項３までのいずれかの項に記載の先付けサッシ構造。
【請求項５】
前記の先付けサッシ枠工法において、ガラスを組み入れた後、ガラスと内側の下部留め枠とをガラスビードにより固定することを特徴とする請求項１から請求項４までのいずれかの項に記載の先付けサッシ構造。
【請求項６】
壁コンクリートを打設する前に型枠内にサッシを取付けし、壁コンクリートを打設し、型枠を脱型してサッシが壁体に取付けられるサッシ先付け工法において、
嵌め殺し窓の上下、左右のサッシ枠に、躯体側に突出する羽根部が形成され、該羽根部を型枠に直接、釘着固定し、サッシ枠を型枠に固定することを特徴とする先付けサッシ工法。
【請求項７】
前記の先付けサッシ枠工法において、ガラスを取り付けるためのガラスビードが外側のみ予め、コンクリート打設前に取り付けることを特徴とする請求項６に記載の先付けサッシ工法。
【請求項８】
前記の先付けサッシ枠工法において、ガラスを組み入れた後、ガラスと内側の下部留め枠とをガラスビードにより固定することを特徴とする請求項６又は請求項７に記載の先付けサッシ工法。
【発明の詳細な説明】
【技術分野】
【０００１】
本発明は湿式工法によるコンクリート建築物のコンクリート打設前の開口部にサッシを取付けるところの先付け工法に関し、特にベランダや窓等の嵌め殺し窓の先付けサッシ構造及び先付けサッシ工法に関するものである。
【背景技術】
【０００２】
従来より、 壁コンクリートを打設する前に型枠内にサッシを仮付けし、壁コンクリートを打設し、型枠を脱型するときにはサッシが壁体に取付けられている先付けサッシ工法は、工期の短縮、現場作業の省力化等の点で、後付けサッシ工法と比較して優れており、従来、種々の方法が提案されている。
【０００３】
特開平１０−３０３３７号公報では、
サッシ１を懸垂係止するサッシ係止部８と、内部型枠パネル１２に釘着固定する取付壁４を備えた額縁状の室内側支持枠２と、
開口部の外周壁１３を形成する四周壁１７と外部型枠パネル１４に釘着固定する取付壁１６を備えた額縁状の室外側支持枠３を
ボルト１０により着脱自在に連結してコンクリート打設前の開口部に型枠パネルと共に取付けるようにしたコンクリート建築物のサッシ先付け構造としたものである。
【０００４】
特開２００１−４９７６１号公報では、
サッシ先付け方法であって、室内側に向かって断面が狭まるように傾斜し、中間にサッシを保持する水平部を有する周囲枠と、
周囲枠の内側に配置される支保部材と、
周囲枠の室内側の各辺に沿って取り外し可能に取付けられ、
楔状断面をもつパッキング部材および楔部材とを有するサッシ先付け用保持枠を所定箇所に設置する工程を備えた方法において、
周囲枠の水平部の外周の室外側に不燃性断熱材を配置し、室内側に発泡ウレタンを配置する工程を備えていることを特徴とする方法である。
【先行技術文献】
【特許文献】
【０００５】
【特許文献１】特開平１０−３０３３７号公報
【特許文献２】特開２００１−４９７６１号公報
【発明の概要】
【発明が解決しようとする課題】
【０００６】
上記の特開平１０−３０３３７号公報では、開口部にサッシを保持するために、室内側支持枠と室外側支持枠とで保持している。
【０００７】
また、特開２００１−４９７６１号公報では、開口部にサッシを保持するためにサッシ先付け用保持枠が設けられる。
【０００８】
すなわち、従来の先付け工法においては、サッシを開口部に保持するために別途、保持部材を製作し、型枠に取り付けていた。
【０００９】
このため、サッシの種類に合わせて保持部材を製作しなければならないという問題があった。
【００１０】
また、従来の高窓などの嵌め殺しの窓の場合には、取替え時、外部からのコーキングが必要であり、足場等のない場所では足場等を組んで施工しなければならない為、コスト高となっていた。
【００１１】
また、従来の嵌め殺しは、部材断面が大きく価格面では大きなコストダウンが出来ない問題があった。
【００１２】
本発明の課題は、上記のような問題に鑑みてなされたものであり、サッシの保持部材を必要とせずに、サッシを先付けすることができ、サッシ廻りのモルタル詰め及びサッシ外周面のコーキングが不要であり、また、嵌め殺し窓においても、取換え時に、外部からのコーキングのための足場等の必要がなく、内部側からの作業のみで取り換えでき、ガラス取り付け後のコーキング処理の手間を省き、ガラスのみを交換することができる先付けサッシ構造及び工法を提供することを課題とする。
【課題を解決するための手段】
【００１３】
本発明は諸課題を解決するために、請求項１では、壁コンクリートを打設する前に型枠内にサッシを取付けし、壁コンクリートを打設し、型枠を脱型するときにはサッシが壁体に取付けられているサッシ先付け構造において、
嵌め殺し窓の上下、左右のサッシ枠に、躯体側に突出する羽根部が形成されており、該羽根部を型枠に直接、釘着固定することにより、サッシ枠を型枠に固定することを特徴とする先付けサッシ構造とするものである。
【００１４】
該躯体側に突出する羽根部は、サッシ枠の内周端部から躯体側に突出する板状の羽根部であればいずれでも良く、突出の長さは、躯体の厚さにより、任意で良く、例えば、１０〜３０ｍｍ程度が良く、好ましくは、１５〜２０ｍｍ程度が良い。
【００１５】
また、該羽根部は、型枠に直接、釘等を打ち付けて固定するものであり、釘穴が設けられたものが好ましい。釘穴の位置は任意であるが、羽根部の中央辺りが好ましい。
【００１６】
請求項２では、前記のサッシ枠から突出する羽根部の躯体側と、サッシ枠の躯体側面とに各々突起部が設けられていることを特徴とする先付けサッシ構造とするものである。
【００１７】
該突起部は、前記の羽根部の躯体側の面とサッシ枠の躯体側の側面との両方に設けられるものであり、このように２か所に突起部が設けられることにより、打設後には、これらの突起部が掛止部となり、サッシ枠が確実に躯体に固定されることになるものである。
【００１８】
請求項３では、前記の型枠に直接、亜鉛釘を釘着固定される羽根部の釘穴において、該釘穴がテーパ状に穴加工されていることを特徴とする先付けサッシ構造とするものである。
【００１９】
該釘穴のテーパの角度は、３０〜６０度程度が良く、好ましくは、４５度程度が良い。
【００２０】
請求項４では、前記のサッシ枠において、ガラスを取り付けるためのガラスビードが外側のみ予め、コンクリート打設前に取り付けられていることを特徴とする請求項１から請求項３までのいずれかの項に記載の先付けサッシ構造とするものである。
【００２１】
該ガラスビードは、ガラスをサッシに組み込む際に、ガラスの外周部の外側と内側に取り付けるゴムで、ガラスとサッシが直接触れ合わないようにするための緩衝材となるものである。
【００２２】
従来、嵌め殺し窓においては、コンクリートの打設後に、ガラスをサッシ枠に組み込み、外側のガラスビードを取り付け、内側のガラスビードは、上部と左右については同様にガラスビードを取り付けて固定し、下部については、ガラスと内側のサッシ枠との隙間にコーキング材を充填して処理されていた。
【００２３】
本発明では、外側のガラスビードをコンクリートの打設前にサッシ枠に予め取り付けることができる構造を有することを特徴とするものである。
【００２４】
このため、ガラスビードを取り付けるサッシ枠のガラスを組み込む枠内部側に、長手方向に先端が鉤状に曲がった断面コ字状の取付溝部が設けられており、ガラスビードは、そのコ字状取付溝部に嵌め込んで取り付けるための断面Ｔ字状突起部が設けられているものである。
【００２５】
請求項５では、前記の先付けサッシ枠工法において、ガラスを組み入れた後、ガラスと内側の下部留め枠とをガラスビードにより固定することを特徴とする請求項１から請求項４までのいずれかの項に記載の先付けサッシ構造とするものである。
【００２６】
該下部留め枠は、嵌め殺し窓の場合に、サッシ枠にガラスを組み込む時に、サッシの下枠の内側の部分を取り外してガラスを嵌め込めるようにするための枠部材であり、ガラスをサッシ枠に嵌め込んだ後に、この留め枠を取り付け、従来は、コーキング剤を充填して固定していた。
【００２７】
本発明では、コーキング剤を用いずに、ガラスビードを使用可能とし、ガラスビードを押し込むことにより、固定できるようにしたものである。
【００２８】
すなわち、この留め枠にガラスビードの掛り止め部となる、鉤状の突条部を設けたものである。また、先端が鉤状に曲がった断面コ字状の取付溝部を設けたものでも良い。
【００２９】
このガラスビードにより、サッシ枠の室内側下部の留め枠とガラスとの隙間を埋め、気密性、防水性を確保できるものである。また、取り付け、取り外しが簡単であり、メンテナンスが容易となる。
【００３０】
請求項６は、壁コンクリートを打設する前に型枠内にサッシを取付けし、壁コンクリートを打設し、型枠を脱型してサッシが壁体に取付けられるサッシ先付け工法において、
嵌め殺し窓の上下、左右のサッシ枠に、躯体側に突出する羽根部が形成され、該羽根部を型枠に直接、釘着固定し、サッシ枠を型枠に固定することを特徴とする先付けサッシ工法とするものである。
【００３１】
請求項７は、前記の先付けサッシ枠工法において、ガラスを取り付けるためのガラスビードが外側のみ予め、コンクリート打設前に取り付けることを特徴とする先付けサッシ工法とするものである。
【００３２】
請求項８は、前記の先付けサッシ枠工法において、ガラスを組み入れた後、ガラスと内側の下部留め枠とをガラスビードにより固定することを特徴とする先付けサッシ工法とするものである。
【発明の効果】
【００３３】
本発明は以下の効果を奏する。
１）羽根部により、型枠に直接サッシを取り付けることができるので、サッシの保持部材を必要とせずに、サッシを先付けすることができる。
【００３４】
２）羽根部により、先付けできるため、サッシ取り付け後のサッシ廻りのモルタル詰めが不要となる。
【００３５】
３）サッシ枠から突出する羽根部の躯体側と、サッシ枠の躯体側面とに各々突起部が設けられているので、サッシを確実に固定することができる。
【００３６】
４）釘穴がテーパ状の穴加工されているので、脱型後、亜鉛釘を容易に外すことができる。
【００３７】
５）外側ガラスビードが先付けされているので、ガラス取替え時の外部コーキングを不要とし、内側ガラスビードを取り外し、内部側作業のみでガラスを交換できる。
【００３８】
６）部材断面が約２５ミリ角と小さく、価格面で格安、施工性も良い為、取り付け費を削減でき、施工性の良さとコストダウンが実現できる。
【００３９】
７）留め枠をガラスビードで固定できるので、コーキング処理の必要がなく、作業が容易となり、メンテナンスも容易となる。
【図面の簡単な説明】
【００４０】
【図１】本発明による先付けサッシ構造を示すサッシ枠の断面図である。
【図２】本発明による先付けサッシ構造を示すサッシ枠を型枠に釘着固定した状態を示す断面図である。
【図３】本発明によるサッシ枠にガラスを組み込んだ状態を示す断面図である。
【図４】本発明によるサッシ枠にガラスを組み込む手順を示す図である。
【図５】本発明によるサッシ枠の下枠の断面図である。
【図６】本発明によるサッシ枠の下部留め枠の断面図である。
【図７】本発明によるサッシ枠の下枠に留め枠を取り付けた状態を示す断面図である。
【発明を実施するための形態】
【００４１】
本発明の実施の形態について図面を用いて説明する。
図１は、本発明による先付けサッシ構造を示すサッシ枠の断面図である。
【００４２】
本例のサッシは、手摺あるいは嵌め殺し窓に用いられるものであり、単板ガラスを用いたサッシ構造であり、図１のサッシ枠は、上部横枠と左右の縦枠に用いるサッシ枠である。
【００４３】
本図は上部横枠用のサッシ枠の断面図である。
【００４４】
このサッシ枠の特徴は、サッシ枠の内周端部から躯体側に突出する板状の羽根部２が設けられている。
【００４５】
この羽根部２は、図２に示すように、直接型枠６に釘着固定できるものである。使用される釘５は、亜鉛釘等が用いられる。
【００４６】
図２は、本発明による先付けサッシ構造を示すサッシ枠を型枠に釘着固定した状態を示す断面図である。
【００４７】
図２に示すように、羽根部２に設けられる釘穴４は、テーパ状に穴加工されているものである。これにより、脱型時には、釘５の先端部５ａが羽根部より突出するが、プライマー等で捻ると簡単に取り外すことができるものである。
【００４８】
また、サッシ枠本体１の左右の側面部に突起部７が設けられ、かつ、前記羽根部２の先端部に躯体側に突出する突起部８が設けられている。
【００４９】
これらの突起部７、８が設けられていることにより、この突起部が躯体に対する楔となり、躯体コンクリートに確実に固定されるものであり、脱型後にサッシ枠がずれてしまう等の問題はなく、所定位置に正確に確実に固定されることになるものである。
【００５０】
また、サッシ枠１の内側の左右に、ガラスビードを取り付けるための鉤型コ字状の取付溝部３が設けられている。
【００５１】
図３は、本発明によるサッシ枠にガラスを組み込んだ状態を示す断面図である。
【００５２】
図３に示すように、この溝部３により、ガラスを組み込み、そのガラスの内面側と外面側からガラスビードを挿入して容易に固定することができるものである。
【００５３】
また、図３の（２）、（３）に外側のガラスビードと内側ガラスビードの断面図を示す。
【００５４】
本発明では、溝部２の形状が鉤型のコ字形状となっており、外側のガラスビードは、断面Ｔ字状突起部が設けられているため、打設前に予め、外側のガラスビードをサッシ枠の鉤型コ字状溝部に取り付けておくことを可能とするものである。
【００５５】
図４は、本発明によるサッシ枠にガラスを組み込む手順を示す図である。
【００５６】
（１）は、最初にサッシ枠１に外側ガラスビード１１を取り付けた状態を示す。サッシ枠１の内部側に鉤型コ字状溝部３が設けられているため、外側の溝部３に、図に示すように、外側用ガラスビード１１の断面Ｔ字状の突起部１１ａを嵌め込んで取り付けることができる。
【００５７】
（２）は、外側ガラスビード１１が取り付けられた状態でコンクリートが打設され、脱型後にガラス１０を組み込んだ状態を示す図である。
【００５８】
（３）は、内側ガラスビード１２を挿入し、ガラス１０を固定した状態を示す図である。
【００５９】
図５は、本発明によるサッシ枠の下枠の断面図である。
【００６０】
この下枠２０は、ガラスを組み込むために、内側が下がっており、内側の羽根部２０ｂも外側の羽根部２０ａより下がった位置に設けられている。
【００６１】
図６は、本発明によるサッシ枠の下部留め枠の断面図である。
【００６２】
該下部留め枠２１は、ガラスを組み込んだ後に、最後に取り付けて内側用ガラスビードを挿入してガラスを固定するものである。
【００６３】
図７は、本発明によるサッシ枠の下枠に留め枠を取り付けた状態を示す断面図である。
【００６４】
図７に示すように、下枠２０の内側の羽根部２０ｂの内部側に取り付ける。この時に下部留め枠２１の下部先端の鉤部２１ａがサッシ枠内部の突起部２０ｃに掛止され、羽根部２０ｂの内部側の鋭角の突出部２０ｄに載置される状態でセットされる。
【００６５】
下枠２０の鉤型コ字状溝部３に、外側用ガラスビード１１が取り付けられ、コンクリート打設、脱型後、ガラス１０を組み込み、留め枠２１を取り付け、最後に内側用ガラスビード１２を挿入してガラス１０を固定する。
【００６６】
以上のように、本発明では、型枠に直接サッシ枠を釘着固定でき、また、外側用ガラスビードをコンクリート打設前に取り付けることができ、かつ、下枠の留め枠の固定においても、ガラスビードが使用できるので、従来のように、留め枠の固定にコーキング材を使用する必要がなくなり、簡単にガラスビードを挿入して固定できるので、外観上もきれいであり、かつ、作業の簡素化となるものである。
【符号の説明】
【００６７】
１  サッシ枠
２  羽根部
３  鉤型コ字状溝部
４  釘穴
５  釘
６  型枠
７  サッシ枠側面突起部
８  羽根部突起部
１０  ガラス
１１  外側用ガラスビード
１１ａ  断面Ｔ字状突起部
１２  内側用ガラスビード
２０  下枠
２１  下枠留め枠
【図１】
2011179244.tif 000003
【図２】
2011179244.tif 000004
【図３】
2011179244.tif 000005
【図４】
2011179244.tif 000006
【図５】
2011179244.tif 000007
【図６】
2011179244.tif 000008
【図７】
2011179244.tif 000009